(57)【要約】【課題】異なる形態の端子構造を有する雄側コネクターに対しても汎用的に接続が可能な雌側コネクターを得る。【解決手段】雌側コネクター１は、雄側コネクターを収容するハウジング２０と、ハウジング２０に支持される一対の雌側端子１０（１０Ａ，１０Ｂ）とを備える。一対の雌側端子１０Ａ，１０Ｂはそれぞれ、複数の雄側コネクターのうち、１つの雄側コネクターに対して電気的に接続する第１の端子部１１と、複数の雄側コネクターのうち、他の雄側コネクターに対して電気的に接続される第２の端子部１２を備え、第２の端子部１２は第１の端子部１１に対してハウジング２０側に設けられ、第２の端子部１２の接触面１２Ａが第１の端子部１１の接触面１１Ａに対して大きい。【選択図】図１
2013051093.tif 000002
【特許請求の範囲】
【請求項１】
互いに異なる形態を有する複数の雄側コネクターのうち、任意に選定される１つの当該雄側コネクターに接続可能な雌側コネクターであって、
前記雄側コネクターを収容するハウジングと、当該ハウジングに支持される一対の雌側端子とを備え、
前記一対の雌側端子はそれぞれ、前記複数の雄側コネクターのうち、１つの前記雄側コネクターに対して電気的に接続する第１の端子部と、
前記複数の雄側コネクターのうち、他の前記雄側コネクターに対して電気的に接続される第２の端子部を備え、
前記第２の端子部は当該第１の端子部に対して前記ハウジング側に設けられ、
前記第２の端子部の接触面が前記第１の端子部の接触面に対して大きいことを特徴とする雌側コネクター。
【請求項２】
前記ハウジングは、第１の架橋部と第２の架橋部と一対の側部と壁部を備え、
前記壁部は前記一対の雌側端子を支持しており、
前記第１の架橋部は、当該第１の架橋部から前記雌側端子へ向かって突出する突出部を備え、
前記突出部は、前記雌側端子の延在方向における前記雄側コネクターの位置を、前記ハウジング内の中間位置に規定することを特徴とする請求項１に記載の雌側コネクター。
【請求項３】
前記複数の雄側コネクターのうち、１つの雄側コネクターを第１の雄側コネクターとして、
前記雌側端子は、前記突出部と前記第２の架橋部との間に配置されており、
前記第１の架橋部と前記第２の架橋部は、前記第１の雄側コネクターの外面部に対応する内面部を備え、
前記第２の端子部は、前記雌側端子の延在方向における前記ハウジング内の前記第１の雄側コネクターの位置を、前記ハウジング内の中間位置に規定することを特徴とする請求項１に記載の雌側コネクター。
【請求項４】
前記雌側端子の延在方向における前記突出部の正面の位置は、前記第１の端子部側における前記第２の端子部の端部の位置に対して略同じであることを特徴とする請求項３に記載の雌側コネクター。
【請求項５】
前記複数の雄側コネクターのうち、他の雄側コネクターを第２の雄側コネクターとして、
前記突出部は、前記第２の雄側コネクターの外面部に対応する内面部を備え、
前記突出部の内面部、前記側部および前記壁部は、前記第２の雄側コネクターの一部を前記突出部に対して前記壁部側に配置する空間を構成することを特徴とする請求項４に記載の雌側コネクター。
【請求項６】
前記一対の側部は、前記複数の雄側コネクターが有する第３の前記雄側コネクターの外面部に対応する内面部を備え、
前記第２の端子部又は前記突出部は、前記雌側端子の延在方向における前記ハウジング内の前記第３の雄側コネクターの位置を、前記ハウジング内の中間位置に規定することを特徴とする請求項５に記載の雌側コネクター。
【請求項７】
前記第２の端子部が有する接触面は、前記雌側端子の延在方向と当該延在方向に対して交差する交差方向で規定され、
前記一対の雌側端子のうち、一方の前記雌側端子が有する前記第２の端子部の接触面における前記交差方向は、他方の前記雌側端子が有する前記第２の端子部の接触面における前記交差方向に対して異なることを特徴とする請求項６に記載の雌側コネクター。
【請求項８】
前記一方の雌側端子が有する前記第２の端子部の接触面における前記交差方向は、前記第２の架橋部から前記第１の架橋部に向かう方向であり、
前記他方の雌側端子が有する前記第２の端子部の接触面における前記交差方向は、前記一対の側部のうち一方の前記側部から他方の前記側部に向かう方向であることを特徴とする請求項７に記載の雌側コネクター。
【請求項９】
前記第２の架橋部から前記第１の架橋部へ向かう方向における、前記一方の雌側端子が有する前記第１の端子部の位置は、当該一方の雌側端子部が有する前記第２の端子部の位置で規定され、
前記他方の側部から前記一方の側部へ向かう方向における、前記一方の雌側端子が有する前記第１の端子部の位置は、当該一方の雌側端子が有する前記第２の端子部の両端部間であって、当該第２の端子部の中央位置に対して前記他方の側部側に配置されており、
前記他方の側部から前記一方の側部へ向かう方向における、前記他方の雌側端子が有する前記第１の端子部の位置は、当該他方の雌側端子部が有する前記第２の端子部の位置で規定され、
前記第２の架橋部から前記第１の架橋部へ向かう方向における、前記他方の雌側端子が有する前記第１の端子部の位置は、当該他方の雌側端子が有する前記第２の端子部の両端部間であって、前記一方の雌側端子が有する前記第２の端子部の位置にて規定されることを特徴とする請求項８に記載の雌側コネクター。
【請求項１０】
前記第１の端子部は、前記延在方向に延びる棒状の形状を備えることを特徴とする請求項９に記載の雌側コネクター。
【請求項１１】
前記第１の架橋部および前記第２の架橋部には、前記第１の雄側コネクターと嵌合する嵌合部が設けられており、
前記一方の側部には、前記第３の雄側コネクターと嵌合する嵌合部が設けられており、
前記他方の側部には、前記第１の架橋部および前記第２の架橋部に対して当該他方の側部を構成する側部構成部材が屈曲部を介して連結しており、
前記側部構成部材は、前記第１の架橋部および前記第２の架橋部の被嵌合部に対して嵌合する嵌合部を備えることを特徴とする請求項８に記載の雌側コネクター。
【請求項１２】
請求項８に記載の雌側コネクターと、当該雌側コネクターに接続する前記第１の雄側コネクターとを備え、
前記第１の雄側コネクターは、前記ハウジング内に配置されており、
前記第１の雄側コネクターは、当該第１の雄側コネクターから前記第１の架橋部に向かって突起する第１の突起状部と、当該第１の雄側コネクターから前記第２の架橋部に向かって突起する第２の突起状部とを備え、
前記第１の架橋部は、前記第１の突起状部と嵌合する嵌合部を備え、
前記第２の架橋部は、前記第２の突起状部と嵌合する嵌合部を備えることを特徴とするコネクターの接続構造。
【請求項１３】
前記第１の架橋部は開口部を備え、
前記第１の雄側コネクターは、前記第１の架橋部の開口部に挿入される位置規制部を備えることを特徴とする請求項１２に記載のコネクターの接続構造。
【請求項１４】
請求項８に記載の雌側コネクターと、当該雌側コネクターに接続する前記第３雄側コネクターとを備え、
前記第３の雄側コネクターは、前記ハウジング内に配置されており、
前記第３の雄側コネクターは、当該雄側コネクターから前記一方の側部に向かって突起する突起状部と、当該一方の側部に対して接続する被接続部とを備え、
前記一方の側部は、前記突起状部に対して嵌合する嵌合部と、前記被連結部に対して連結される連結部を備えることを特徴とするコネクターの接続構造。
【請求項１５】
前記一方の側部の連結部が有する開口部に、前記被連結部が有する位置規制部が配置され、
前記突起状部が有する位置決め部は、前記雌側端子の延在方向における、前記第３の雄側コネクターの位置を規定することを特徴とする請求項１４記載のコネクターの接続構造。
【請求項１６】
前記側部構成部材が、前記第１の架橋部又は前記第２の架橋部の一方に嵌合して、前記雌側コネクターの他方の側部を構成することを特徴とする請求項１５記載のコネクターの接続構造。
【請求項１７】
請求項８に記載の雌側コネクターと、当該雌側コネクターと接続する前記第２の雄側コネクターとを備え、前記第２の雄側コネクターは、前記ハウジング内に配置されており、
前記第２の雄側コネクターの雄側端子内に、前記雌側端子が配置されており、
前記雌側端子の第２の端子部には、前記第２の雄側コネクターの雄側端子による付勢力が作用することを特徴とするコネクターの接続構造。
【請求項１８】
前記雄側端子は、前記雌側端子を収容する収容部を備え、
前記収容部は、板状部と当該板状部の両端部から当該収容部の内側に向かって延在する一対の湾曲部を備え、
前記湾曲部が、前記雌側端子の第２の端子部に対して、当該湾曲部から前記板状部に向かう方向にて付勢力を作用させることを特徴とする請求項１７に記載のコネクターの接続構造。
【請求項１９】
前記第２の雄側コネクターは一対の前記雌側端子に対応する前記雄側端子を一対備え、
前記一方の雌側端子は、一方の前記雄側端子の収容部内に配置されており、
前記他方の雌側端子は、他方の前記雄側端子の収容部内に配置されており、
前記一方の雌側端子の第１の端子部は、前記他方の雄側端子側に配置される前記湾曲部と前記板状部材とが構成する空間内に配置されており、
前記他方の雌側端子の第１の端子部は、前記収容部の内側に設けられる前記一対の湾曲部の端部近傍に配置されることを特徴とする請求項１８に記載のコネクターの接続構造。
【請求項２０】
請求項１２、１４、１７のいずれかに記載されたコネクターの接続構造を構成する雄側コネクターと、当該雄側コネクターと電気的に接続する前記雌側コネクターを有するスピーカ装置とを備えることを特徴とする自動車。
【発明の詳細な説明】
【技術分野】
【０００１】
本発明は、雌側コネクター及び雌側コネクターと雄側コネクターが接続するコネクターの接続構造に関するものである。
【背景技術】
【０００２】
下記の特許文献１に記載されたコネクターは、雄ハウジング内に収容した雌端子の先端に対向して雄ハウジングの前壁に雄タブ挿入口を設け、雌端子に対する平板状の接触用雄タブを雌ハウジング内に突設したものである。そして、接触用雄タブの電気接触部の先端には、雄タブ挿入口の側縁部に対する逃がし用の切欠を両側に形成することで、雄タブ先端のピッチずれが生じた場合でも、コネクター相互の接続をスムース且つ確実に行えるようにしている。
【先行技術文献】
【特許文献】
【０００３】
【特許文献１】実開平５−７５９７１号公報
【発明の概要】
【発明が解決しようとする課題】
【０００４】
ところで、前述した従来技術のような雄側コネクターと雌側コネクターとを接続するコネクターにおいて、互いに異なる形態を有する複数の雄側コネクターの各々に対しても電気的な接続が確保できるように、雌側コネクターの形態に汎用性を付加したものが知られている。この汎用性を付加された雌側コネクターのハウジングは、異なる形態を有する雄側コネクターの各々のハウジングに対応する。しかし、雌側コネクターの端子の形態は前述した従来技術のように雄側コネクターの特定の端子に対応する形態である。そのため、互いに異なる形態を有する複数の雄側コネクターの各々に対して雌側コネクターが対応するハウジングを備えている場合でも、特定の端子構造を有する雄側コネクターとしか電気的に接続することができないという問題があった。
【０００５】
本発明は、このような問題に対処することを課題の一例とするものである。すなわち、異なる形態の端子構造を有する雄側コネクターに対しても汎用的に電気的接続が可能な雌側コネクターを得ること、等が本発明の目的である。
【課題を解決するための手段】
【０００６】
このような目的を達成するために、本発明による雌側コネクターは、以下の構成を少なくとも具備するものである。
【０００７】
互いに異なる形態を有する複数の雄側コネクターのうち、任意に選定される１つの当該雄側コネクターに接続可能な雌側コネクターであって、前記雄側コネクターを収容するハウジングと、当該ハウジングに支持される一対の雌側端子とを備え、前記一対の雌側端子はそれぞれ、前記複数の雄側コネクターのうち、１つの前記雄側コネクターに対して電気的に接続する第１の端子部と、前記複数の雄側コネクターのうち、他の前記雄側コネクターに対して電気的に接続される第２の端子部を備え、前記第２の端子部は当該第１の端子部に対して前記ハウジング側に設けられ、前記第２の端子部の接触面が前記第１の端子部の接触面に対して大きいことを特徴とする雌側コネクター。
【図面の簡単な説明】
【０００８】
【図１】本発明の一実施形態に係る雌側コネクターの斜視図であり、同図（ａ），（ｂ）は同方向の異なる角度からみた斜視図である。
【図２】雌側コネクターと第１の雄側コネクターとの接続構造を示した説明図である（同図（ａ）が、雌側コネクターのハウジング内での雄側コネクターの外面部の形状を示しており、同図（ｂ）が雄側コネクターの外観図を示している。）。
【図３】雌側コネクターと第２の雄側コネクターとの接続構造を示した説明図である（同図（ａ）が、雌側コネクターのハウジング内での雄側コネクターの外面部の形状を示しており、同図（ｂ）が雄側コネクターの外観図を示している。）。
【図４】雌側コネクターと第３の雄側コネクターとの接続構造を示した説明図である（同図（ａ）が、雌側コネクターのハウジング内での雄側コネクターの外面部の形状を示しており、同図（ｂ）が雄側コネクターの外観図を示している。）。
【図５】スピーカ装置が備えられた自動車を示した説明図である。
【図６】本発明の実施形態に係るコネクターの接続構造を用いたスピーカ装置への電気的な接続を示した説明図である。
【発明を実施するための形態】
【０００９】
以下、図面を参照しながら本発明の実施形態を説明する。図１は本発明の一実施形態に係る雌側コネクターの斜視図であり、同図（ａ），（ｂ）は同方向の異なる角度からみた斜視図である。
【００１０】
雌側コネクター１は、互いに形態の異なる複数の雄側コネクターのうち、任意に選定された１つの雄側コネクターに接続可能な汎用性のある雌側コネクターであって、一対の雌側端子１０（１０Ａ，１０Ｂ）とハウジング２０を備える。ハウジング２０は、図示省略の雄側コネクターの一部又は全体を収容する。このハウジング２０に一対の雌側端子１０（１０Ａ，１０Ｂ）が支持されている。
【００１１】
一対の雌側端子１０Ａ，１０Ｂは、それぞれ第１の端子部１１と第２の端子部１２を備えている。第２の端子部１２は第１の端子部１１に対してハウジング２０側に設けられている。第２の端子部１２はハウジング２０に支持されており、第２の端子部１２から突出して第１の端子部１１がハウジング２０内に配備されている。
【００１２】
第１の端子部１１は複数の雄側コネクターのうち、一つの雄側コネクターと電気的に接続可能であり、第２の端子部１２は複数の雄側コネクターのうち、他の雄側コネクターと電気的に接続可能である。ここで、前述した１つの雄側コネクターと他の雄側コネクターは互いに異なる形態を有する雄側コネクターである。また、第２の端子部１２の接触面１２Ａが第１の端子部１１の接触面１１Ａに対して大きい面積を有している。
【００１３】
ハウジング２０は、第１の架橋部２１と第２の架橋部２２と一対の側部２３と壁部２４を備えている。壁部２４は雌側端子１０（１０Ａ，１０Ｂ）を支持している。第１の架橋部２１は、第１の架橋部２１から雌側端子１０へ向かって突出する突出部２１Ａを備えている。突出部２１Ａは、複数の雄側コネクターのうち、一つの雄側コネクターの位置を、雌側端子１０の延在方向（矢印ｘ方向であり、第２の端子部１２から第１の端子部１１へ向かう方向）におけるハウジング２０内の中間位置に規定する。
【００１４】
雌側端子１０（１０Ａ，１０Ｂ）は、突出部２１Ａと第２の架橋部２２との間に配置されている。第１の架橋部２１と第２の架橋部２２は、後述する第１の雄側コネクター（複数の雄側コネクターのうち、一つの雄側コネクター）の外面部に対応する内面部２１Ｂ，２２Ａを備えている。具体的には、第１の架橋部２１の内面部２１Ｂと第２の架橋部２２の内面部２２Aは、第１の雄側コネクターの外面部に並行した面を備える。このような並行した面を備える第１の架橋部２１の内面部２１Ｂと第２の架橋部２２の内面部２２Ａは、第１の雄側コネクターの外周面に接して第１の雄側コネクターの外周面を保持しても構わないし、内面部２１Ｂと第１の雄側コネクターの外周面との間若しくは内面部２２Ａと第１の雄側コネクターの外周面との間に隙間を有していても構わない。なお、並行するとは、内面部２１Ｂと第１の雄側コネクターの外面部とを例にとれば、雌側端子１０の延在方向にて、内面部２１Ｂと第１の雄側コネクターの外面部とが所定の間隔を有するか又は接触して並べられていることを意味する。よって、内面部２１Ｂと第１の雄側コネクターの外面部とが実質的に平行に並べられてもよく、或いは内面部２１Ｂと第１の雄側コネクターの外面部との間隔は雌側コネクター１が第１の雄側コネクターを収容できる範囲内で、第２の端子部１２に近づくにつれて小さくなっていても構わない。
【００１５】
第２の端子部１２は、雌側端子１０の延在方向におけるハウジング２０内の第１の雄側コネクター（複数の雄側コネクターのうち、一つの雄側コネクター）の位置をハウジング２０内の中間位置に規定する位置決め部である。
【００１６】
雌側端子１０の延在方向における突出部２１Ａの正面２１Ａ１の位置は、第１の端子部１１側における第２の端子部１２の端部１２Ｂの位置に対して略同じである。
【００１７】
突出部２１Ａは、後述する第２の雄側コネクター（複数の雄側コネクターのうち、他の雄側コネクター）の外面部に対応する内面部２１Ａ２を備えている。具体的には、突出部２１Ａの内面部２１Ａ２は、第２の雄側コネクターの外面部に対して並行する面を備える。突出部２１Ａの内面部２１Ａ２、側部２３，２３および壁部２４は、後述する第２の雄側コネクターの一部を突出部２１Ａの正面２１Ａ１に対して壁部２４側に配置する空間を構成するものである。
【００１８】
一対の側部２３，２３は、後述する第３の雄側コネクターの外面部に対応する内面部２３Ａ，２３Ａを備えている。具体的には、一対の側部２３，２３の内面部２３Ａ，２３Ａは第３の雄側コネクターの外面部に対して並行する面を備える。第２の端子部１２又は突出部２１Ａは、雌側端子１０の延在方向（矢印ｘ方向）におけるハウジング２０内の第３の雄側コネクターの位置をハウジング２０内の中間位置に規定する位置決め部である。
【００１９】
第２の端子部１２が有する接触面１２Ａは、雌側端子１０（１０Ａ，１０Ｂ）の延在方向（矢印ｍ１，ｍ２方向）と、この延在方向に対して交差する交差方向（矢印ｎ１，ｎ２方向）で規定される。図示の例では接触面１２Ａは矩形状であり、前述した延在方向（矢印ｍ１，ｍ２方向）が短軸であり、前述した交差方向（矢印ｎ１，ｎ２方向）が長軸である。延在方向と交差方向は直角に交差していても構わない。一対の雌側端子１０Ａ，１０Ｂのうち、一方の雌側端子１０Ａが有する第２の端子部１２の接触面１２Ａにおける前述した交差方向（矢印ｎ１方向）は、他方の雌側端子１０Ｂが有する第２の端子部１２の接触面１２Ａにおける前述した交差方向（矢印ｎ２方向）に対して異なる方向である。すなわち、一方の雌側端子１０Ａが有する第２の端子部１２の接触面１２Ａにおける前述した交差方向（矢印ｎ１方向）は、第２の架橋部から第１の架橋部に向かう方向（図示ｚ方向）であり、他方の雌側端子１０Ｂが有する第２の端子部１２の接触面１２Ａにおける前述した交差方向（矢印ｎ２方向）は、一方の側部２３から他方の側部２３に向かう方向（図示ｙ方向）である。
【００２０】
図示されるｚ軸方向（第２の架橋部から第１の架橋部へ向かう方向）において、一方の雌側端子１０Ａが有する第１の端子部１１（一方の第１の端子部１１）の位置は、一方の雌側端子１０Ａが有する第２の端子部１２（一方の第２の端子部１２）の位置で規定される。図示されるｙ軸方向（他方の側部２３−２から一方の側部２３−１へ向かう方向）において、一方の第１の端子部１１の位置は一方の第２の端子部１２の両端部で規定される範囲内に制限される。後述する図２では、図示されるｙ軸方向において、一方の第１の端子部１１の位置は、一方の第２の端子部１２の中央位置に対して他方の側部２３−２側の端部側にある。
【００２１】
図示されるｙ軸方向において、他方の雌側端子１０Ｂが有する第１の端子部１１（他方の第１の端子部１１）の位置は、他方の雌側端子１０Ｂが有する第２の端子部１２（他方の第２の端子部１２）の位置で規定される。図示されるｚ軸方向において、他方の第１の端子部１１の位置は、他方の第２の端子部１２の両端部で規定される範囲内に制限される。後述する図２では、他方の第１の端子部１１の位置は一方の第１の端子部１１の位置に対して実質的に同じであり、一方の第１の端子部１１の位置で規定されている。
【００２２】
すなわち、雌側端子１０Ａ，１０Ｂの第２の端子部１２は、後述する第２の雄側コネクターが有する一対の雄側端子の位置に合わせて、ハウジング２０内に配置されている。さらに雌側端子１０Ａ，１０Ｂの第１の端子部１１は、その位置が第２の端子部１２の位置に制限されつつ、後述する第１の雄側コネクター又は第３の雄側コネクターが有する一対の雄側端子の位置に合わせられている。なお、雌側端子１０Ａ，１０Ｂの第１の端子部１１、第２の端子部１２は、雄側端子と電気的な接続が可能となる形状に形成されている。
【００２３】
第１の端子部１１は、雌側端子１０の延在方向（矢印ｍ１，ｍ２方向）に延びる棒状の形状を備える。棒状の形状としては、断面形状が正方形、矩形（長方形を含む）、円形、長円形や楕円形を含むものである。
【００２４】
第１の架橋部２１および第２の架橋部２２には、第１の雄側コネクターと嵌合する嵌合部２１Ｃ，２２Ｂが設けられている。一方の側部２３−１には、第３の雄側コネクターと嵌合する嵌合部２３Ｂが設けられている。他方の側部２３−２には、第１の架橋部２１および第２の架橋部２２に対して他方の側部２３−２を構成する側部構成部材２３Ｃが屈曲部２３Ｄを介して連結している。この屈曲部２３Ｄは折り曲げ可能であり、他方の側部２３−２に連結している側部構成部材２３Ｃは、屈曲部２３Ｄを回転軸として、ハウジング２０に対して近接したり離間したりすることができる。側部構成部材２３Ｃは、第１の架橋部２１の被嵌合部２１Ｅ、および第２の架橋部２２の被嵌合部２２Ｅに対して嵌合する嵌合部２３Ｃ１を備えている。
【００２５】
図２〜図４は、前述した雌側コネクターと互いに形態が異なる雄側コネクターとの接続構造を示す説明図である（各図の（ａ）が、雌側コネクターのハウジング内での雄側コネクターの外面部の形状を示しており、各図の（ｂ）が雄側コネクターの外観図を示している。）。図２が雌側コネクターと第１の雄側コネクターとの接続構造を示しており、図３が雌側コネクターと第２の雄側コネクターとの接続構造を示しており、図４が雌側コネクターと第３の雄側コネクターとの接続構造を示している。
【００２６】
図２に示すように、第１の雄側コネクター２Ａの外面部２Ａ４は雌側コネクター１のハウジング２０内に配置される。図２（ａ）では、第１の雄側コネクター２Ａの外面部２Ａ４の断面形状が点線で示されており、雌側コネクター１のハウジング２０内に第１の雄側コネクター２Ａが配置された場合における、ハウジング２０に対する外面部２Ａ４の位置が示されている。
【００２７】
この第１の雄側コネクター２Ａは、雌側コネクター１の第１の架橋部２１に向かって突起する第１の突起状部２Ａ１と雌側コネクター１の第２の架橋部２２に向かって突起する第２の突起状部２Ａ２とを備えている。これに対して前述したように、雌側コネクター１の第１の架橋部２１は、第１の突起状部２Ａ１と嵌合する嵌合部２１Ｃを備えており、第２の架橋部２２は、第２の突起状部２Ａ２と嵌合する嵌合部２２Ｂを備えている。
【００２８】
また、雌側コネクター１の第１の架橋部２１は開口部２１Ｄを備えており、第１の雄側コネクター２Ａは、第１の架橋部２１の開口部２１Ｄに挿入される位置規制部２Ａ３を備えている。この位置規制部２Ａ３は、第２の端子部１２から第１の端子部１１に向かう方向における第１の雌側コネクターに対する第１の雄側コネクターの位置を規定する。第１の雄側コネクター２Ａの雄側端子２Ａ５は、雌側コネクター１の雌側端子１０における第１の端子部１１と電気的に接続される。
【００２９】
また、他方の側部２３−２を構成する側部構成部材２３Ｃは第１の雄側コネクター２Ａに合わせて、第１の架橋部２１および第２の架橋部２２に嵌合させなくても構わない。この場合、側部構成部材２３Ｃは第１の雄側コネクター２Ａに対して開放された空間を構成する。なお必要に応じて側部構成部材２３Ｃを切り落としても構わない。
【００３０】
図３に示すように、第２の雄側コネクター２Ｂの外面部２Ｂ１は、雌側コネクター１のハウジング２０内に配置される。図３（ａ）では、第２の雄側コネクター２Ｂの外面部２Ｂ１の断面形状が点線で示されており、雌側コネクター１のハウジング２０内に第２の雄側コネクター２Ｂが配置された場合における、ハウジング２０に対する外面部２Ｂ１の位置が示されている。
【００３１】
第２の雄側コネクター２Ｂの一部は、突出部２１Ａの内面部２１Ａ２、一方の側部２３−１，他方の側部２３−２、壁部２４、第２の架橋部２２で構成される空間Ｓ内に配置される。この空間Ｓを構成する一方の側部２３−１の内面部２３Ａ−１、他方の側部２３−２の内面部２３Ａ−２は、一方の側部２３−１から他方の側部２３−２へ向かう方向にて、ハウジング２０内における第２の雄側コネクター２Ｂの位置を規定する。
【００３２】
突出部２１Ａの内面部２１Ａ２、第２の架橋部２２の内面部２２Ｃは、第１の架橋部２１から第２の架橋部２２に向かう方向にて、ハウジング２０内における第２の雄側コネクター２Ｂの位置を規定する。また、一方の側部２３−１の突出部２３Ｆは、一方の側部２３−１から他方の側部２３−２へ向かう方向にて、一方の側部２３−１側における第２の雄側コネクター２Ｂの端部の位置を規定する。この突出部２３Ｆは、一方の側部２３−１側における第２の雄側コネクター２Ｂの端部に接触しても構わないし、接触していなくても構わない。
【００３３】
また、他方の側部２３−２を構成する側部構成部材２３Ｃは第２の雄側コネクター２Ｂに合わせて、第１の架橋部２１および第２の架橋部２２に嵌合させなくても構わない。この場合、側部構成部材２３Ｃは第２の雄側コネクター２Ｂに対して開放された空間を構成する。なお必要に応じて側部構成部材２３Ｃを切り落としても構わない。
【００３４】
第２の雄側コネクター２Ｂの雄側端子２Ｂ２の内側に雌側コネクター１の雌側端子１０が配置される。雌側端子１０の第２の端子部１２は、第２の雄側のコネクター２Ｂの雄側端子２Ｂ２と電気的に接続する。また、雌側端子１０の第２の端子部１２には、接続時に第２の雄側のコネクター２Ｂの雄側端子２Ｂ２から付勢力が作用する。
【００３５】
第２のコネクター２Ｂの雄側端子２Ｂ２は、雌側端子１０を収容する収容部２Ｂ３を備えている。収容部２Ｂ３は、板状部２Ｂ３１と板状部２Ｂ３１の両端部から収容部２Ｂ３の内側に向かって延在する一対の湾曲部２Ｂ３２を備えている。そして、湾曲部２Ｂ３２が、雌側端子１０の第２の端子部１２に対して、湾曲部２３Ｂ２から板状部２３Ｂ１に向かう方向にて付勢力を作用させる。
【００３６】
第２の雄側コネクター２Ｂは一対の雌側端子１０（１０Ａ，１０Ｂ）に対応する雄側端子２Ｂ２（２Ｂ２ａ，２Ｂ２ｂ）を一対備えている。一方の雌側端子１０Ａは、一方の雄側端子２Ｂ２ａの収容部２Ｂ３内に配置されており、他方の雌側端子１０Ｂは、他方の雄側端子２Ｂ２ｂの収容部２Ｂ３内に配置されている。そして、雌側端子１０Ｂの第１の端子部１１は、雄側端子２Ｂ２ａ側に配置される湾曲部２Ｂ３２と板状部材２Ｂ３１とで構成される空間Ｔ内に配置されている。また、雌側端子１０Ａの第１の端子部１１は、一対の湾曲部２Ｂ３２の端部近傍に配置されている。
【００３７】
第２の雄側コネクター２Ｂが雌側コネクター１のハウジング２０に挿入される際、第１の端子部１１は雄側端子２Ｂ２内を通過し、第２の端子部１２を雄側端子２Ｂ２内へ案内する案内部にもなる。
【００３８】
図４に示すように、第３の雄側コネクター２Ｃの外面部２Ｃ１は、雌側コネクター１のハウジング２０内に配置される。図４（ａ）では、第３の雄側コネクター２Ｃの外面部２Ｃ１の断面形状が点線で示されており、雌側コネクター１のハウジング２０内に第３の雄側コネクター２Ｃが配置された場合における、ハウジング２０に対する外面部２Ｃ１の位置が示されている。
【００３９】
第３の雄側コネクター２Ｃは、雌側コネクター１の一方の側部２３−１に向かって突起する突起状部２Ｃ２と、一方の側部２３−１に対して連結する被連結部２Ｃ３とを備えている。雌側コネクター１の一方の側部２３−１は、第３の雄側コネクター２Ｃの突起状部２Ｃ２に対して嵌合する嵌合部２３Ｂと、被連結部２Ｃ３に対して連結される連結部２３Ｅを備えている。
【００４０】
雌側コネクター１の一方の側部２３−１の連結部２３Ｅが有する開口部２３Ｅ１に、第３の雄側コネクター２Ｃの被連結部２Ｃ３が有する位置規制部２Ｃ３１が配置される。また、突起状部２Ｃ２が有する位置決め部２Ｃ２１は、雌側端子１０の延在方向（矢印ｍ１，ｍ２方向）における第３の雄側コネクター２Ｃの位置を規定する。雌側コネクター１の側部構成部材２３Ｃは、第１の架橋部２１の被嵌合部２１Ｅ、第２の架橋部２２の被嵌合部２２Ｅに嵌合して、他方の側部２３−２を構成している。
【００４１】
他方の側部２３−２を構成する側部構成部材２３Ｃは第３の雄側コネクター２Ｃに合わせて、第１の架橋部２１および第２の架橋部２２に嵌合させても構わない。図４の例の場合には、側部構成部材２３Ｃは第１の架橋部２１および第２の架橋部２２に嵌合させる。この場合、側部構成部材２３Ｃは他方の側部２３−２を構成する。よって、一方の側部２３−１、他方の側部２３−２、側部構成部材２３Ｃは、一方の側部２３−１から他方の側部２３−２へ向かう方向にて、ハウジング２０内における第３の雄側コネクター２Ｃの位置を規定する。なお、また、他方の側部２３−２を構成する側部構成部材２３Ｃは第３の雄側コネクター２Ｃに合わせて、第１の架橋部２１および第２の架橋部２２に嵌合させなくても構わない。この場合、側部構成部材２３Ｃは第３の雄側コネクター２Ｃに対して開放された空間を構成する。なお必要に応じて側部構成部材２３Ｃを切り落としても構わない。第３の雄側コネクター２Ｃの雄側端子２Ｃ４は、雌側コネクター１の雌側端子１０における第１の端子部１１と電気的に接続される。
【００４２】
図５は、スピーカ装置が備えられた自動車を示した説明図である。また、図６は、本発明の実施形態に係るコネクターの接続構造を用いたスピーカ装置への電気的な接続を示した説明図である。自動車４の車内には、インストルメントパネル、ドアパネル、天井部、車内後部など様々な箇所にスピーカ装置３を設置することができる。雄側コネクター２は、自動車４内に配置される電源と配線等を介して電気的に接続されている。また、自動車４の被取付部材に取り付けられるスピーカ装置３は、雌側コネクター１（１Ａ）を備える。雄側コネクター２と雌側コネクター１とを電気的に接続させることで、自動車４に取り付けられるスピーカ装置３と自動車４の電源とが電気的に接続され、スピーカ装置３は駆動される。
【００４３】
また、スピーカ装置３は、前述した第１，第２，第３の雄側コネクター２（２Ａ，２Ｂ、２Ｃ）以外の他の雄側コネクター２Ｄ(第４の雄側コネクターと呼称する)に対して電気的に接続され、前述した雌側コネクター１とは異なる別の雌側コネクター１Ａ（第２の雌側コネクターと呼称する）を備えていても構わない。スピーカ装置３が取り付けられる自動車４が第４の雄側コネクター２Ｄを備えている場合には、スピーカ装置３が備える第２の雌側コネクター１Ａを使用する。また、スピーカ装置３が取り付けられる自動車４が第１，第２，第３の雄側コネクター２Ａ，２Ｂ，２Ｃのうち一方の雄側コネクターを備える場合には、前述した雌側コネクター１を第２の雌側コネクター１Ａの変換用コネクターとして用いる。この場合、前述した雌側コネクター１が備える壁部側の端部を第２の雌側コネクター１Ａに接続し、前述した雌側コネクター１のハウジング２０内に、一方の雄側コネクター２を配置する。
【００４４】
このような特徴の本発明の実施形態によると、雌側コネクター１は、互いに異なる形態を有する複数の雄側コネクター２（２Ａ，２Ｂ，２Ｃ）を収容できるハウジング２０を備えている。そして、雌側コネクター１における一対の雌側端子１０（１０Ａ，１０Ｂ）は、それぞれが第１の端子部１１と第２の端子部１２を備えている。これによって、複数の雄側コネクター２（２Ａ，２Ｂ，２Ｃ）の各々が備える雄側端子に対して、第１の端子部１１又は第２の端子部１２が電気的に接続させる。
【００４５】
また、互いに異なる形態を有する複数の雄側コネクター２に接続可能な雌側コネクター１の雌側端子１０（１０Ａ，１０Ｂ）は、接触面１１Ａを有する第１の端子部１１と、第１の端子部１１の接触面１１Ａに対して面積が大きい接触面１２Ａを有する第２の端子部１２とを有する。このため、雌側コネクター１と複数の雄側コネクター２の各々との電気的な接続を行う際に、面積が大きい接触面１２Ａを有する第２の端子部１２がその接触面の大きさを利用して、１つの雄側端子との電気的な接続を可能にする。一方で、第２の端子部１２に対して面積が小さい接触面１１Ａを有する第１の端子部１１がその接触面の面積に応じて、他方の雄側端子との電気的な接続又は電気的な非接続のうち一方の選択を可能にする。
【００４６】
また、雌側コネクター１のハウジング２０が突出部２１Ａを備えることで、特定の形態を有する雄側コネクター２（２Ａ，２Ｃ）に対しては、雌側端子１０の延在方向（矢印ｍ１，ｍ２方向）における位置をハウジング２０内の中間位置に規定することができる。また、他の形態の雄側コネクター２（２Ｂ）に対して、雌側コネクター１は、突出部２１Ａの内側で、且つハウジング２０に対して壁部２４側にて、他の形態の雄側コネクター２の一部を配置することができる。このようにハウジング２０に突出部２１Ａを設けることで、互いに異なる外面部を有する複数の雄側コネクター２を雌側コネクター１は収容できるとともに電気的な接続ができる。
【００４７】
雌側コネクター１のハウジング２０は第１の架橋部２１と第２の架橋部２２を備えている。この第１の架橋部２１と第２の架橋部２２が、雄側コネクター２（２Ａ）の外面部２Ａ４に対応する内面部２１Ｂ，２２Ａを備えることで、ハウジング２０内に雄側コネクター２（２Ａ）を規定の位置に配置して、ハウジング２０に対してガタツキが発生することを抑止することができる。
【００４８】
雌側コネクター１の雌側端子１０が第２の端子部１２を備えることで、第２の端子部１２の端部１２Ｂが位置規制部となって、雌側端子１０の延在方向（矢印ｍ１，ｍ２方向）における雄側コネクター２（２Ａ）の位置をハウジング２０内の中間位置に規定することができる。
【００４９】
また、雌側コネクター１のハウジング２０における突出部２１Ａの正面２１Ａ１の位置が第１の端子部１１側における第２の端子部１２の端部１２Ｂの位置に対して略同じである場合、前述した位置規制部としての第２の端子部１２の端部１２Ｂに加えて、突出部２１Ａの正面２１Ａ１も位置規制部となって、雌側端子１０の延在方向（矢印ｍ１，ｍ２方向）における雄側コネクター２（２Ａ）の位置をハウジング内の中間位置に規定することができる。
【００５０】
また、雌側コネクター１のハウジング２０における突出部２１Ａの正面２１Ａ１の位置は、第１の端子部１１側における第２の端子部１２の端部１２Ｂの位置に対して、雄側コネクター２（第１，第３の雄側コネクター２Ａ，２Ｃ）と雌側コネクター１とが電気的に接続できるのであれば、第１の端子部１１側又は第２の端子部１２側における位置に変更しても構わない。
【００５１】
雌側コネクター１のハウジング２０における突出部２１Ａが、雄側コネクター２（２Ｂ）の外面部２Ａ４に対応する内面部２１Ａ２を備えることで、ハウジング２０内で雄側コネクター２（２Ｂ）を規定の位置に配置した際に、ハウジング２０に対してガタツキが発生することを抑止することができる。雌側コネクター１のハウジング２０が突出部２１Ａの内面部２１Ａ２、側部２３および壁部２４で構成される空間を備えるので、雄側コネクター２（２Ｂ）の一部を突出部２１Ａに対して壁部２４側に配置でき、雄側コネクター２（２Ｂ）の雄側端子を雌側コネクター１の第２の端子部１２に電気的に接続することができる。
【００５２】
雌側コネクター１のハウジング２０における一対の側部２３が、雄側コネクター２（２Ｃ）の外面部２Ｃ１に対応する内面部２３Ａを備えることで、雄側コネクター２（２Ｃ）をハウジング２０内の規定の位置に配置した際に、ガタツキが発生することを抑止することができる。この際、雌側コネクター１の雌側端子１０が第２の端子部１２を備えることで、雌側端子１０の延在方向（矢印ｍ１，ｍ２方向）における雄側コネクター２（２Ｃ）の位置をハウジング２０内の中間位置に規定することができる。
【００５３】
雌側コネクター１の第２の端子部１２が、雄側コネクター２（２Ｂ）の雄側端子内に収容される接触面１２Ａを備えることで、雌側コネクター１と雄側コネクター２（２Ｃ）とを電気的に接続させることができる。雌側コネクター１の第１の端子部１１が、雄側コネクター２（２Ａ，２Ｃ）の雄側端子内に収容される形状を備えることで、雌側コネクター１と雄側コネクター２（２Ａ，２Ｃ）とを電気的に接続することができる。
【００５４】
雌側コネクター１のハウジング２０における第１の架橋部２１と第２の架橋部２２と側部２３が嵌合部２１Ｃ，２２Ｂ，２３Ｂを備えるので、ハウジング２０内で雄側コネクター２（２Ａ，２Ｃ）にガタツキが生じることを抑止することができる。また、雌側コネクター１が側部構成部材２３Ｃを備えることで、雄側コネクター２（２Ｃ）をハウジング２０に対して固定でき、ガタツキが生じることを抑止できる。また、側部構成部材２３Ｃが、第１の架橋部２１又は第２の架橋部２２の一方に嵌合して、雌側コネクター１の他方の側部２３−２を構成することで、ハウジング２０内で雄側コネクター２（２Ｃ）にガタツキが生じることを抑止することができる。
【００５５】
また、側部構成部材２３Ｃが不要な場合には、側部構成部材２３Ｃを切り落とすことなどの手段により片側の側部２３−２を開放して、比較的大きい雄側コネクターを収容することができる。これによって、接続できる雄側コネクターの横方向の寸法を拡大することができる。
【００５６】
雌側コネクター１のハウジング２０にける一方の側部２３−１が嵌合部２３Ｂと連結部２３Ｅを備えるので、ハウジング２０内で雄側コネクター２（２Ｃ）にガタツキが生じることを抑止することができる。
【００５７】
雄側コネクター２（２Ａ，２Ｃ）が備える位置規制部２Ａ３，２Ｃ３１は、雄側コネクター２（２Ａ，２Ｃ）が雌側コネクター１から抜けることを抑止する。また、雄側コネクター２（２Ｃ）の位置決め部２Ｃ２１は、雌側端子１０の延在方向（矢印ｍ１，ｍ２方向）における雄側コネクター２（２Ｃ）の位置を決める。
【００５８】
雌側コネクター１における雌側端子１０の第２の端子部１２に、雄側のコネクター２（２Ｂ）の雄側端子から付勢力が作用することで、雄側コネクター２（２Ｂ）が第１の雌側コネクター１のハウジング２０内でガタツいたとしても、雌側コネクター１と雄側コネクター２（２Ｂ）との電気的な接続を良好に維持することができる。また、雌側コネクター１の第１の端子部１１は、雄側コネクター２（２Ｂ）が雌側コネクター１内に精度よく挿入されるように、直線的な挿入を可能にする（曲がって入っていかない）ためのガイドの役目を担っている。これによって、簡易に雌側コネクター１の雌側端子１０を雄側コネクター２（２Ｂ）の雄側端子内に挿入することができる。
【符号の説明】
【００５９】
１：雌側コネクター，
１０（１０Ａ，１０Ｂ）：雌側端子，１１：第１の端子部，１１Ａ：接触面，
１２：第２の端子部，
１２Ａ：接触面（ｍ：延在方向，ｎ：交差方向），１２Ｂ：端部，
２０：ハウジング，２１：第１の架橋部，２１Ａ：突出部，２１Ａ１：正面，
２１Ａ２：内面部，２１Ｂ：内面部，２１Ｃ：嵌合部，２１Ｄ：開口部，
２２：第２の架橋部，２２Ａ：内面部，２２Ｂ：嵌合部，
２３（２３−１，２３−２）：側部，
２３Ａ（２３Ａ−１，２３Ａ−２）：内面部，２３Ｂ：嵌合部，
２３Ｃ：側部構成部材，２３Ｃ１：嵌合部，２３Ｄ：屈曲部，２３Ｅ：連結部，
２３Ｅ１：開口部，２３Ｆ：突出部，２４：壁部，
２（２Ａ，２Ｂ，２Ｃ）：雄側コネクター，
２Ａ１：第１の突起状部，２Ａ２：第２の突起状部，２Ａ３：位置規制部，
２Ａ４：外面部，２Ａ５：雄側端子，
２Ｂ１：外面部，２Ｂ２（２Ｂ２ａ，２Ｂ２ｂ）：雄側端子，２Ｂ３：収容部，
２Ｂ３１：板状部，２Ｂ３２：湾曲部，
２Ｃ１：外周部，２Ｃ２：突起状部，２Ｃ２１：位置決め部，
２Ｃ３：被連結部，２Ｃ３１：位置規制部，２Ｃ４：雄側端子，
３：スピーカ装置，４：自動車
【図１】
2013051093.tif 000003
【図２】
2013051093.tif 000004
【図３】
2013051093.tif 000005
【図４】
2013051093.tif 000006
【図５】
2013051093.tif 000007
【図６】
2013051093.tif 000008